(57)【特許請求の範囲】
【請求項１】
食事中に使用される食事用マスクであって、
鼻及び口を覆うマスク本体部は、
マスク本体上部より下方へ伸び、
前記マスク本体上部より下方へ伸びた長さが、長手となることを特徴とし、
さらに、前記マスク本体部の下部には手入れ部を設け、
前記手入れ部はマスク本体部に接し、輪状又はトンネル状になっており、
前記マスク本体部を装着した者の体と、
前記マスク本体部との間の空間を、前記マスク本体部の下部を動かして広げる際に、
前記手入れ部の入り口より前記手入れ部の中へ、手から腕を入れることにより、
マスク本体部を動かす動作をわずかにし、
マスクをしながら食事をする際の動作を美しく見せるために、
手が正面から見てマスク本体部に隠れるようにしたことを特徴とする
食事用マスク。
【請求項２】
前記手入れ部の入り口を、前記手入れ部の幅より広くしたことを特徴とする、
請求項１に記載の食事用マスク。
【請求項３】
前記手入れ部の入り口に、ワイヤー等形状を保てる素材を有したことを特徴とする、
請求項１又は請求項２に記載の食事用マスク。
【請求項４】
前記食事用マスクを顔に装着した際、鼻及び口周りに空洞が出来るように、
鼻及び口付近に、前記マスク本体部の横方向にワイヤーを有した、
請求項１から請求項３のいずれかに記載の食事用マスク。
【発明の詳細な説明】
【技術分野】
【０００１】
本発明は、食事用マスクに関するものである。
【背景技術】
【０００２】
昨今のコロナ過では、感染の要因の一つに、会食時における飛沫が問題となっている。そして、本件発明の出願時においての会食の在り方として、食べるときはマスクを片側のみ外し、口に入れたらすぐにマスクをするという、大変煩雑な案が出ている。また、マスクの下部を暖簾のように布で覆うだけにしたものも、見かけられる。また、アラブのベールの様なマスクも見受けられる。マスクの片側をいちいち取り外すのは面倒であり、布を覆うだけのものや、ベールにスリットが入っただけのものは、口に運ぶ際に利き手でコップを持ったり、箸等を持ち、利き手じゃないほうの手を顔の高さまであげて、布をめくるため、手を上下させる労力も必要であり、また、対面で食事をしていると、相手の顔周りで、手が何度も動く動作は気が散るし、美しくないため、会食時用のマスクとして、一般に普及するようなものではなかった。
【発明の概要】
【発明が解決しようとする課題】
【０００３】
コロナ過では、飲食業者も困窮しており、一刻も早く、安全な会食ができるようになることを切望している。
【０００４】
そこで、本発明は、飛沫を気にすることなくスムーズに食事が取れ、しかも動作的に美しく、コスト的にも安く制作できるマスクを提供することを目的とする。
【課題を解決するための手段】
【０００５】
本発明に係る食事用マスクは、鼻及び口を覆うマスク本体部が、マスク本体上部より下方へ伸び、前記マスク本体上部より下方へ伸びた長さが、長手となることを特徴とし、さらに、前記マスク本体部の下部には手入れ部を設け、前記手入れ部はマスク本体部に接し、輪状又はトンネル状になっており、前記マスク本体部を装着した者の体と、前記マスク本体部との間の空間を、前記マスク本体部の下部を動かして広げる際に、前記手入れ部の入り口より前記手入れ部の中へ、手から腕を入れることにより、前記マスク本体部を動かす動作をわずかにし、マスクをしながら食事をする際の動作を美しく見せるために、手が正面から見てマスク本体部に隠れるようにしたことを特徴とする。
【０００６】
また、本発明に係る食事用マスクは、手を入れやすいように手入れ部の入り口を手入れ部の幅より広くしてもよい。  
【０００７】
また、本発明に係る食事用マスクは、手を入れやすいように手入れ部の入り口にワイヤーを備えてもよい。
【０００８】
また、本発明に係る食事用マスクは、鼻や口周りの空間を広げて呼吸をしやすくするために、本体と横方向に平行にして、鼻や口付近にワイヤーを備えてもよい。
【発明の効果】
【０００９】
本発明によれば、飛沫を気にすることなくスムーズに食事が取れ、しかも動作的に美しく、コスト的にも安く制作できるマスクを提供することが可能となる。
【図面の簡単な説明】
【００１０】
【図１】本発明の食事用マスクの正面図である。
【図２】本発明の食事用マスクの手入れ部の入り口を広くした場合の参考図である。
【図３】本発明の食事用マスクの手入れ部の入り口にワイヤーを取付け、手を入れやすくした場合の参考図である。
【図４】本発明の食事用マスクの、鼻や口付近にワイヤーを取り付けて、マスク本体と顔との間の空間を広げて呼吸をしやすくした場合の参考図である。
【図５】本発明の食事用マスクの手入れ部に手を入れ、マスク本体部と体の間の空間を広げて、片側の手で食事を口へ運んだ時に、対面で見た場合の見え方の参考図である。
【図６】本発明の食事用マスクの手入れ部をマスク本体部に斜めに結合させた場合の参考図である。
【図７】本発明の食事用マスクの手入れ部両側面の入り口を、マスク本体部に斜めに結合させた場合の参考図である。
【図８】本発明の食事用マスクの手入れ部を、マスク本体部と一体ではなく、バンドを丸く設け、マスク本体部と結合させた場合の参考図である。
【発明を実施するための形態】
【００１１】
図面を参照しながら、本発明を実施するための形態について説明する。
【実施例１】
【００１２】
本発明の食事用マスクは、図１のように、鼻及び口を覆うマスク本体部３が、マスク本体上部２より下方へ伸び、マスク本体上部２より下方へ伸びた長さが、長手となることを特徴としている。
さらに、マスク本体部３に、手を入れる手入れ部４を備えて構成されている。図１の手入れ部４はトンネル状になっており、手入れ部端５はマスク本体部３と結合している。結合方法は、マスク本体部３が布であれば、図１の点線で示したようにミシンで縫ったり、他には布用ボンドで結合させたり、ファスナーで開閉できるという方法も考えられる。つまり、手を入れた際にマスク本体部３と結合可能な素材を用いれば良い。マスク本体部３がビニール製ならば、熱で結合させたり、ボンドで結合させたりすることも考えられる。例示した方法以外にもマスク本体部３と手入れ部端５が結合できれば良い。
【００１３】
前記食事用マスクを使用する方法は、食事をする際に、利き腕でない方の手から腕を、手入れ部４の入り口より手入れ部４の中へと入れて使用する。
利き腕で食事を口へ運ぶ際に、手入れ部４へ入れた腕を体から前方へ離すことにより、マスク本体部３と体との間の空間を広げて、利き腕で食事や飲料を口へと運ぶ。その際、利き腕はマスク本体部３の下を通ってもよいし、マスク本体部３の利き腕側側面より、マスク本体部３と体との間の空間に入り、口へと食事や飲料を運んでもよい。
手入れ部４へ入れる手は、食事等を口へ運ぶ時以外は、手入れ部４から出していてもよい。
【００１４】
手入れ部４は、図１のように、手入れ部端５がマスク本体部３の片側側面から反対側側面まで結合していてもよいし、手入れ部４の入り口を広くするために、図２のように手入れ部端５の一部のみマスク本体部３と結合させてもよい。また、図４のように手入れ部４の入り口に沿ってワイヤーを取り付け、入り口を広げた状態にしておき、手を入れやすくしてもよい。
また、図１ではマスク本体部３の横方向に平行に手入れ部端５が結合させているが、必ずしも平行である必要はなく、手を入れやすいように図６のように手入れ部端５を斜めに結合させてもよい。また、利き腕が右でも左でも使えるよう、図７のようにマスク本体部３の片側側面と反対側側面を手入れ部の中よりも広くして結合させてもよい。さらに、手入れ部４はマスク本体部３と一体ではなく、図８のようにバンドを丸く設けて輪状にし、マスク本体部３と結合させるような方法も考えられるが、余分な材料が生じるため、コストは一体にしたものよりも高くなってしまう。
【００１５】
マスク本体上部２は、より鼻にフィットするように、ワイヤー等を入れてもよい。また、マスク本体部３の、鼻及び口に接する付近に空間拡張部６を設けると呼吸が楽である。空間拡張部６は、例えば、ワイヤーを取り付けて、マスク本体部３と顔との間の空間を広げて呼吸をしやすくてもよい。その際には、ワイヤーを少し、体側と反対に曲げると、よりマスク本体部３と顔との間の空間が広がり、呼吸が楽となる。
【００１６】
固定部材１は、通常のマスクのように耳にかけるゴムにしてもよいし、頭の後ろを通って、固定してもよい。また、マスク本体部３と顔を固定することが出来れば、シールや、剥がせる粘着物質でもよい。
【００１７】
マスク本体部３は、布でも不織布でも、ビニールで作ってもよい。手入れ部４と一体であればより構造が簡単となり、材料や縫製等のコストも安く済む。
【００１８】
こうして完成した食事用マスクの使用例を図５に示す。対面で食事をする際に、相手の顔周りで、手が何度も動く動作は気が散るし美しくないが、本発明の食事用マスクであれば、口へ運ぶ際の動作がマスク本体部３で隠れるため、見た目の動作も美しく、しかも利き腕ではない手が、顔の周りでめくったり外したりするような、手を顔まで持ち上げる労力も生じないため、動作にに対する消費エネルギ―も少なくて済む。
【００１９】
以上により、本発明の食事用マスクを使用すれば、飛沫を気にすることなく飲食が可能となり、また飲食しながら会話をしても飛沫感染のリスクを軽減することが期待できる。しかも食事時の動作も美しく、簡単な構造のため、コスト的にも安く制作できる。
【符号の説明】
【００２０】
１  固定部材
２  マスク本体上部
３  マスク本体部
４  手入れ部
５  手入れ部端
６  空間拡張部
【要約】
【課題】  本発明は、飛沫を気にすることなくスムーズに食事が取れ、しかも動作的に美しく、コスト的にも安く制作できるマスクを提供することを目的とする。
【解決手段】
【課題を解決するための手段】
鼻及び口を覆うマスク本体部と、マスク本体部に手を入れる手入れ部を備えたことを特徴とする食事用マスクを提供する。   
【選択図】図１【図１】
0006875787.tif 000002
【図２】
0006875787.tif 000003
【図３】
0006875787.tif 000004
【図４】
0006875787.tif 000005
【図５】
0006875787.tif 000006
【図６】
0006875787.tif 000007
【図７】
0006875787.tif 000008
【図８】
0006875787.tif 000009